(57)【要約】【課題】可燃性冷媒を用いつつ、安全性を向上させるようにした給湯装置を提供する。【解決手段】給湯装置は、冷媒−水熱交換器を有し、可燃性冷媒を用いて該冷媒−水熱交換器で湯水を沸き上げるヒートポンプ装置と、冷媒−水熱交換器で沸き上げた湯水を貯湯する貯湯タンクと、ヒートポンプ装置を制御する制御装置と、を備え、制御装置は、冷媒−水熱交換器を流れる水の温度が凍結温度以下となった際に、貯湯タンクの中間部に貯湯されている中温水を、貯湯タンクの上部に貯湯されている高温水よりも優先的に給湯に利用するものである。【選択図】図５
2019138601.tif 000002
【特許請求の範囲】
【請求項１】
冷媒−水熱交換器を有し、可燃性冷媒を用いて該冷媒−水熱交換器で湯水を沸き上げるヒートポンプ装置と、
前記冷媒−水熱交換器で沸き上げた湯水を貯湯する貯湯タンクと、
前記ヒートポンプ装置を制御する制御装置と、を備え、
前記制御装置は、
前記冷媒−水熱交換器を流れる水の温度が凍結温度以下となった際に、
前記貯湯タンクの中間部に貯湯されている中温水を、前記貯湯タンクの上部に貯湯されている高温水よりも優先的に給湯に利用する
給湯装置。
【請求項２】
前記制御装置は、
前記ヒートポンプ装置が停止しているときの外気温度によって、前記冷媒−水熱交換器を流れる水の温度が凍結温度以下となったかどうかを判定する
請求項１に記載の給湯装置。
【請求項３】
前記制御装置は、
前記ヒートポンプ装置の逆サイクル除霜運転時の冷媒温度によって、前記冷媒−水熱交換器を流れる水の温度が凍結温度以下となったかどうかを判定する
請求項１に記載の給湯装置。
【請求項４】
前記貯湯タンクの上部と前記貯湯タンクの中間部に接続された中温水混合弁を設け、
前記制御装置は、
給湯に供給した積算給湯流量が増加するにつれて、前記中温水混合弁を制御して前記貯湯タンクの上部に貯湯されている高温水の割合を増加させる
請求項１〜３のいずれか一項に記載の給湯装置。
【請求項５】
前記制御装置は、
前記積算給湯流量が予め定めた基準値以上となると、前記中温水混合弁を制御して前記貯湯タンクの上部に貯湯されている高温水の割合を一定に増加させた状態で、給湯温度を調整する
請求項４に記載の給湯装置。
【請求項６】
前記貯湯タンクの中間部と給水配管に接続された中温水混合弁を設け、
前記制御装置は、
前記中温水混合弁を制御することで、前記中温水に前記給水配管から供給される低温水を混合させて給湯温度を調整する
請求項１〜３のいずれか一項に記載の給湯装置。
【請求項７】
前記制御装置は、
給湯利用箇所が２つ以上あり、設定温度が異なる場合、設定温度の低い方で前記中温水混合弁を制御する
請求項６に記載の給湯装置。
【請求項８】
前記制御装置は、
給湯温度に制約がある場合、外部に報知する
請求項６又は７に記載の給湯装置。
【発明の詳細な説明】
【技術分野】
【０００１】
本発明は、可燃性冷媒を使用した給湯装置に関するものである。
【背景技術】
【０００２】
従来、冷媒回路に循環させる冷媒に可燃性冷媒を用いた給湯装置が存在している。可燃性冷媒を用いた場合、冷媒漏洩について対策しなければならない。
そのようなものとして、特許文献１には、冷媒として可燃性冷媒を使用し、可燃性冷媒の存在を検知するガスセンサを設けたヒートポンプ給湯装置が開示されている。
また、特許文献２には、冷媒として可燃性冷媒を使用し、水回路内の水圧を調整する圧力逃がし弁と、水回路内の空気を排出する空気抜き弁との少なくとも一方を備え、水回路から可燃性冷媒を排出するようにしたヒートポンプサイクル装置が開示されている。
【先行技術文献】
【特許文献】
【０００３】
【特許文献１】特開２０１３−０４７５９１号公報
【特許文献２】特開２０１３−１６７３９８号公報
【発明の概要】
【発明が解決しようとする課題】
【０００４】
特許文献１に記載の技術は、熱交換器又は配管に何らかの原因で亀裂などが生じて、冷凍サイクルの外部に可燃性冷媒が漏洩した場合は、設置してあるガスセンサで漏洩を検知することができる。しかしながら、特許文献１に記載の技術では、例えば凝縮熱交換器の冷媒と水とが熱交換する部分の隔壁が破れ、可燃性冷媒が水側に混入した場合、ヒートポンプの沸き上げ運転で可燃性冷媒が貯湯タンクまで到達し、給湯時に蛇口から可燃性冷媒が放出される可能性がある。
【０００５】
特許文献２に記載の技術は、水回路に大量に可燃性冷媒が混入した場合、圧力逃がし弁もしくは空気抜き弁から可燃性冷媒を排出することができる。しかしながら、特許文献２に記載の技術では、ピンホールなどが開いて、可燃性冷媒のスローリークが発生した場合、圧力逃がし弁もしくは空気抜き弁が作動しない可能性がある。その場合、特許文献２に記載の技術では、貯湯タンクに可燃性冷媒が溜り、給湯時に湯と一緒に可燃性冷媒が流出してしまう場合が考えられる。
【０００６】
本発明は、上記のような実情を鑑みてなされたもので、可燃性冷媒が温水とともに流出することを抑制するようにした給湯装置を提供することを目的としたものである。
【課題を解決するための手段】
【０００７】
本発明に係る給湯装置は、冷媒−水熱交換器を有し、可燃性冷媒を用いて該冷媒−水熱交換器で湯水を沸き上げるヒートポンプ装置と、前記冷媒−水熱交換器で沸き上げた湯水を貯湯する貯湯タンクと、前記ヒートポンプ装置を制御する制御装置と、を備え、前記制御装置は、前記冷媒−水熱交換器を流れる水の温度が凍結温度以下となった際に、前記貯湯タンクの中間部に貯湯されている中温水を、前記貯湯タンクの上部に貯湯されている高温水よりも優先的に給湯に利用するものである。
【発明の効果】
【０００８】
本発明に係る給湯装置は、スローリークなどで冷媒検知が適当に実施されない場合であっても、冷媒−水熱交換器を流れる水の温度が凍結温度以下となった際に中温水を優先的に利用することで、可燃性冷媒が高温水とともに給湯に流出してしまうのを制限できる。
【図面の簡単な説明】
【０００９】
【図１】本発明の実施の形態に係る給湯装置の構成の一例を示す概略構成図である。
【図２】本発明の実施の形態に係る給湯装置の貯湯ユニットコントローラの機能構成を示す機能ブロック図である。
【図３】本発明の実施の形態に係る給湯装置のヒートポンプユニットコントローラの機能構成を示す機能ブロック図である。
【図４】本発明の実施の形態に係る給湯装置のヒートポンプユニット停止中の最低外気温度検知の際の処理の流れを示すフローチャートである。
【図５】最低外気温度に応じた給湯運転の際の処理の流れを示すフローチャートである。
【図６】給湯に高温湯と中温水を混合させて利用する通常給湯運転の際の処理の流れを示すフローチャートである。
【図７】給湯に高温湯と中温水を混合させて利用する通常給湯運転の際の処理の流れを示すフローチャートである。
【図８】給湯に中温水のみを利用する中温水優先給湯運転の際の処理の流れを示すフローチャートである。
【図９】中温水優先給湯運転から通常給湯運転への移行の際の処理の流れを示すフローチャートである。
【図１０】本発明の実施の形態に係る給湯装置の変形例１の構成の一部を示す概略構成図である。
【図１１】本発明の実施の形態に係る給湯装置の変形例２の構成の一部を示す概略構成図である。
【図１２】変形例２に係る給湯装置のヒートポンプユニットコントローラの機能構成を示す機能ブロック図である。
【図１３】本発明の実施の形態に係る給湯装置の除霜運転時の回路構成の一例を示す概略構成図である。
【図１４】除霜運転時における蒸発温度で冷媒−水熱交換器の凍結の可能性を判定する際の処理の流れを示すフローチャートである。
【図１５】本発明の実施の形態に係る給湯装置の変形例３の構成の一部を示す概略構成図である。
【図１６】変形例３に係る給湯装置の中温水優先給湯運転の際の処理の流れを示すフローチャートである。
【発明を実施するための形態】
【００１０】
以下、本発明の実施の形態について図面を参照して詳細に説明する。なお、本実施の形態で使用する各図においては、共通する要素に同一の符号付けをするものとする。また、本発明は、以下に説明する実施の形態に限定されるものではなく、本発明の趣旨を逸脱しない範囲で種々に変形することが可能である。また、本実施の形態において、「湯水」とは、温水及び冷水を総称している。また、浴槽２００の湯水とは、浴槽２００に貯められている湯水を意味し、貯湯タンク１２０の湯水とは、貯湯タンク１２０に貯留されている湯水を意味しているものとする。
【００１１】
図１は、本発明の実施の形態に係る給湯装置１００の構成の一例を示す概略構成図である。図１に基づいて、給湯装置１００の構成について説明する。図１では、給湯装置１００の一例として、ヒートポンプユニット１０により湯水を沸き挙げる貯湯式給湯装置を例に図示している。なお、図１では、給湯装置１００に接続されている浴槽２００についても併せて図示している。
【００１２】
＜給湯装置１００の構成＞
図１に示すように、給湯装置１００は、ヒートポンプユニット１０と、貯湯ユニット５０と、を有している。また、貯湯ユニット５０には、浴槽２００が接続されている。さらに、貯湯ユニット５０には、給湯端６３及び給水端６４が接続されている。
【００１３】
（ヒートポンプユニット１０）
ヒートポンプユニット１０は、貯湯タンク５１を介して供給される低温の湯水を加熱する熱源である。ヒートポンプユニット１０は、圧縮機１１、冷媒−水熱交換器１２、膨張弁１３及び蒸発器１４を備える。つまり、ヒートポンプユニット１０は、圧縮機１１、冷媒−水熱交換器１２、膨張弁１３及び蒸発器１４を冷媒配管７０で配管接続した冷媒回路を備えている。この冷媒回路には、ＨＣ系冷媒又はＨＦＯ系冷媒等の可燃性冷媒を循環させる。ＨＣ系冷媒とは、ハイドロカーボン系冷媒のことであり、例えばＲ２９０等が挙げられる。ＨＦＯ系冷媒とは、ハイドロフルオロオレフィン系冷媒のことであり、例えばＲ１２３４ｙｆ、Ｒ１２３４ｚｅ及びＲ１２３３ｚｄ等が挙げられる。なお、圧縮機１１、冷媒−水熱交換器１２、膨張弁１３及び蒸発器１４を冷媒配管７０で配管接続した冷媒回路構成を、ヒートポンプ装置と称する場合がある。
【００１４】
ヒートポンプユニット１０は、冷媒−水熱交換器１２を介して貯湯ユニット５０と接続する。具体的には、冷媒−水熱交換器１２の水側に接続しているヒートポンプ入水配管７１及びヒートポンプ出湯配管７２を介して、ヒートポンプユニット１０と貯湯ユニット５０とが接続する。冷媒−水熱交換器１２では、冷媒配管７０を流れる冷媒と、ヒートポンプ入水配管７１を流れる水との間で熱交換が行われる。
【００１５】
圧縮機１１は、冷媒を圧縮して吐出するものである。圧縮機１１は、ロータリ圧縮機、又は、スクロール圧縮機等で構成することができる。圧縮機１１から吐出された冷媒は、冷媒−水熱交換器１２へ送られる。
冷媒−水熱交換器１２は、冷媒配管７０を流れる高温高圧の冷媒で、ヒートポンプ入水配管７１を流れる水を加熱するものである。冷媒−水熱交換器１２としては、例えばプレート式熱交換器又は二重管熱交換器等で構成することができる。
【００１６】
膨張弁１３は、冷媒−水熱交換器１２を経由した冷媒を膨張させて減圧するものである。膨張弁１３は、冷媒の流量を調整可能な電動膨張弁等で構成するとよい。
蒸発器１４は、膨張弁１３を経由した冷媒と、空気などの熱媒との間で熱交換を行い、冷媒を蒸発するものである。蒸発器１４は、フィンアンドチューブ型熱交換器、マイクロチャネル熱交換器、シェルアンドチューブ式熱交換器、ヒートパイプ式熱交換器、二重管式熱交換器、又は、プレート熱交換器等で構成することができる。蒸発器１４には、蒸発器１４に空気を供給する送風機１４ａが付設されている。
【００１７】
また、ヒートポンプユニット１０は、外気温度センサー９０、入水温度センサー９１、及び、出湯温度センサー９２を有している。
外気温度センサー９０は、ヒートポンプユニット１０の外気吸入口に設けられ、ヒートポンプユニット１０に取り込まれる外気の温度を測定するものである。
入水温度センサー９１は、ヒートポンプ入水配管７１の冷媒−水熱交換器１２の入口側に設けられ、ヒートポンプ入水配管７１を流れる水の温度を測定するものである。
出湯温度センサー９２は、ヒートポンプ出湯配管７２の冷媒−水熱交換器１２の出口側に設けられ、ヒートポンプ出湯配管７２を流れる水の温度を測定するものである。
外気温度センサー９０、入水温度センサー９１、及び、出湯温度センサー９２の測定結果は、後述するヒートポンプユニットコントローラ３２に送られる。
【００１８】
（貯湯ユニット５０）
貯湯ユニット５０は、ヒートポンプユニット１０で加熱された湯水を貯湯タンク５１に貯えるとともに、浴槽２００及び給湯端６３に湯水を供給する。貯湯ユニット５０は、貯湯タンク５１、風呂熱交換器５３、タンク側ポンプ５４、浴槽循環ポンプ８０、及び、排気ファン６２を備える。また、貯湯ユニット５０は、三方弁５９、四方弁５５、中温水混合弁５６、一般給湯混合弁５８、風呂給湯混合弁５７、湯張り開閉弁８１、圧力逃がし弁６０、及び、空気抜き弁６１を備える。さらに、貯湯ユニット５０は、冷媒センサー９３、浴槽温度センサー９４、及び、浴槽往き温度センサー９５を有している。
【００１９】
貯湯タンク５１は、湯水を貯留するものであり、上部から下部に向かって高温域と低温域との温度成層が形成される。貯湯タンク５１は、ステンレスなどの金属、又は、樹脂などで形成されている。貯湯タンク５１の外側には図示しない断熱材が配置されている。これにより、貯湯タンク５１は、貯留された湯水を長時間に渡って保温することができる。
【００２０】
貯湯タンク５１の外表面には、貯湯タンク５１に貯留されている湯水の温度を測定する複数個の貯湯温度センサー５２が上下方向に並ぶように設置されている。図１では、紙面上側から紙面下側に向けて、貯湯温度センサー５２ａ、貯湯温度センサー５２ｂ、貯湯温度センサー５２ｃ、貯湯温度センサー５２ｄとして図示している。なお、貯湯温度センサー５２の個数を特に限定するものではない。また、特に区別する必要がない場合は、貯湯温度センサー５２として説明するものとする。貯湯温度センサー５２の測定結果は、後述する貯湯ユニットコントローラ３１に送られる。
【００２１】
貯湯タンク５１には、下部において給水端６４へと連通する給水管２１が接続され、下部から低温の湯水が供給される。また、貯湯タンク５１には、下部においてヒートポンプ入水配管７１へと連通するタンク水供給管２２が接続され、下部から低温の湯水がヒートポンプユニット１０に供給される。また、貯湯タンク５１の上部には高温湯供給配管２３が接続され、上部から高温の湯水が供給される。高温湯供給配管２３には、送湯配管７３が接続されている。また、貯湯タンク５１の上部には、温水導入配管７７が接続され、上部から高温の湯水が風呂熱交換器５３に供給される。また、貯湯タンク５１の側面下部には、タンク配管２５が接続されている。また、貯湯タンク５１の側面中間部には、中温水配管７４が接続されている。
【００２２】
風呂熱交換器５３は、貯湯タンク５１の上部に接続した温水導入配管７７から流入する温水と、浴槽戻り配管７９から流入する風呂水と、で熱交換を実行するものである。風呂熱交換器５３としては、例えばプレート式熱交換器又は二重管熱交換器等で構成することができる。
【００２３】
タンク側ポンプ５４は、ヒートポンプ入水配管７１における三方弁５９の流出口ｃ１の下流側に設置され、貯湯ユニット５０とヒートポンプユニット１０との間で湯水を循環させるものである。
浴槽循環ポンプ８０は、浴槽戻り配管７９に設置され、貯湯ユニット５０と浴槽２００との間で湯水を循環させるものである。
【００２４】
排気ファン６２は、圧力逃がし弁６０及び空気抜き弁６１の排出先に設けられ、冷媒センサー９３が冷媒を検知した場合に、貯湯ユニット５０内に冷媒が充満しないように、排気口５０ａから外部へ冷媒を排出するものである。
【００２５】
三方弁５９は、流入口ａ１、流入口ｂ１、及び、流出口ｃ１を備え、流入口ａ１又は流入口ｂ１から流れてきた湯水を流出口ｃ１から流出するものである。流入口ａ１は貯湯タンク５１の下部に接続されているタンク水供給管２２に接続されている。流入口ｂ１は、風呂熱交換器５３に接続されている温水導出配管７６に接続されている。流出口ｃ１は、ヒートポンプ入水配管７１に設置されているタンク側ポンプ５４の吸入側に接続されている。
【００２６】
四方弁５５は、流入口ａ２、流入口ｂ２、流出口ｃ２、及び、流出口ｄ２を備え、流入口ａ２又は流入口ｂ２から流れてきた湯水を流出口ｃ２又は流出口ｄ２から流出するものである。流入口ａ２は、ヒートポンプ出湯配管７２に接続されている。流入口ｂ２は、ヒートポンプ入水配管７１に設置されているタンク側ポンプ５４の吐出側に接続されている。流出口ｃ２は、貯湯タンク５１の側面下部に接続されているタンク配管２５に接続されている。流出口ｄ２は、貯湯タンク５１の上部と接続している送湯配管７３に接続されている。
【００２７】
中温水混合弁５６は、一方が高温湯配管７５に接続され、一方が中温水配管７４に接続され、更に一方が第２配管２６に接続されている。中温水混合弁５６は、高温湯配管７５から流出する高温の湯と、中温水配管７４から流出する中温の湯を混合して、第２配管２６を介して給湯に利用するものである。中温水混合弁５６は、三方弁などで構成することができる。
【００２８】
一般給湯混合弁５８は、一方が第１分岐配管２６ａに接続され、一方が給湯配管２８に接続され、更に一方が給水配管２７に接続されている。一般給湯混合弁５８は、第１分岐配管２６ａを流れる中温水混合弁５６で混合した湯と、給水端６４に接続されている給水配管２７を流れる給水とを混合して、給湯配管２８を介して給湯端６３へ給湯するものである。一般給湯混合弁５８は、三方弁などで構成することができる。
【００２９】
風呂給湯混合弁５７は、一方が第２分岐配管２６ｂに接続され、一方が給水配管２７に接続され、更に一方が第３配管２９に接続されている。風呂給湯混合弁５７は、第２分岐配管２６ｂを流れる中温水混合弁５６で混合した湯と、給水端６４に接続されている給水配管２７を流れる給水とを混合して、浴槽往き配管７８に接続している第３配管２９を介して浴槽２００へ給湯するものである。風呂給湯混合弁５７は、三方弁などで構成することができる。
【００３０】
湯張り開閉弁８１は、第３配管２９に設けられ、浴槽２００に湯張りする際の流路となる第３配管２９を開閉するものである。
【００３１】
圧力逃がし弁６０は、第１分岐配管２４ａに設けられ、低温の水をヒートポンプユニット１０で高温の湯に沸き上げたときに体積膨張する分を外部に排出するものである。圧力逃がし弁６０は、第１分岐配管２４ａを機械的に開閉する二方弁などで構成することができる。なお、第１分岐配管２４ａは、高温湯配管７５に接続されている第１配管２４を２つに分岐したうちの１つである。
【００３２】
空気抜き弁６１は、第２分岐配管２４ｂに設けられ、例えば水中に溶存した空気が高温になると気泡となり、この気泡が貯湯タンク５１の上部に溜まった場合に、高温湯配管７５からの給湯で空気を排出するものである。空気抜き弁６１は、第２分岐配管２４ｂを機械的に開閉する二方弁などで構成することができる。なお、第２分岐配管２４ｂは、高温湯配管７５に接続されている第１配管２４を２つに分岐したうちの１つである。また、空気抜き弁６１は、高温湯配管７５が貯湯ユニット５０内の位置でいちばん高くなる場所に接続するとよい。
【００３３】
冷媒センサー９３は、圧力逃がし弁６０及び空気抜き弁６１の排出先に設けられ、可燃性冷媒が水回路側に漏洩して貯湯タンク５１の上部から排出される場合の可燃性冷媒を検知するものである。なお、冷媒センサー９３は、ヒートポンプユニット１０にも加えて設置してもよい。
浴槽温度センサー９４は、浴槽循環ポンプ８０の下流側と風呂熱交換器５３の上流側との間に設けられ、設置位置における湯水の温度を測定するものである。
浴槽往き温度センサー９５は、風呂熱交換器５３の下流側と浴槽２００の上流側との間に設けられ、設置位置における湯水の温度を測定するものである。
冷媒センサー９３、浴槽温度センサー９４、及び、浴槽往き温度センサー９５の測定結果は、後述する貯湯ユニットコントローラ３１に送られる。
【００３４】
（制御装置）
給湯装置１００は、全体を統括制御する制御装置を有している。制御装置は、貯湯ユニットコントローラ３１及びヒートポンプユニットコントローラ３２で構成されている。貯湯ユニットコントローラ３１は、リモコン２１０から送信された運転情報に基づいて、貯湯ユニット５０の動作を制御する機能を有している。ヒートポンプユニットコントローラ３２は、貯湯ユニットコントローラ３１から伝達される情報に基づいて、ヒートポンプユニット１０の動作を制御する機能を有している。
【００３５】
貯湯ユニットコントローラ３１とヒートポンプユニットコントローラ３２とは、有線又は無線で互いに通信可能に構成されている。
貯湯ユニットコントローラ３１及びヒートポンプユニットコントローラ３２は、その機能を実現する回路デバイスのようなハードウェアで構成することができる。また、貯湯ユニットコントローラ３１及びヒートポンプユニットコントローラ３２は、マイクロコンピュータのような演算装置と、その上で実行されるソフトウェアとにより構成することもできる。なお、貯湯ユニットコントローラ３１又はヒートポンプユニットコントローラ３２のいずれか１つで、給湯装置１００を統括制御してもよい。
【００３６】
また、リモコン２１０は、給湯装置１００の運転モード、給湯設定温度、及び、給湯設定湯量などの運転情報の指示を受け付けるものである。リモコン２１０は、貯湯ユニットコントローラ３１に対して、ユーザーからの指示を指令する。リモコン２１０は、給湯装置１００に付属の装置であってもよく、スマートフォン、携帯電話、ＰＤＡ（Ｐｅｒｓｏｎａｌ  Ｄｉｇｉｔａｌ  Ａｓｓｉｓｔａｎｔ）、パソコン、又は、タブレット等であってもよい。
【００３７】
図２は、給湯装置１００の貯湯ユニットコントローラ３１の機能構成を示す機能ブロック図である。図２に基づいて、貯湯ユニットコントローラ３１の機能について更に説明する。
【００３８】
図２に示すように、貯湯ユニットコントローラ３１は、機能的には、測定部３１ａと、演算部３１ｂ、制御部３１ｃ、記憶部３１ｄと、を備える。測定部３１ａは、貯湯温度センサー４２、浴槽往き温度センサー９５、浴槽温度センサー９４、及び、冷媒センサー９３での情報に基づいて湯水の温度及び冷媒濃度を測定する。演算部３１ｂは、測定部３１ａでの測定結果を用いて、制御部３１ｃへの指示内容を演算する。制御部３１ｃは、演算部３１ｂでの演算結果に基づいて、タンク側ポンプ５４、三方弁５９、四方弁５５、中温水混合弁５６、一般給湯混合弁５８、風呂給湯混合弁５７、浴槽循環ポンプ８０、及び、排気ファン６２の動作を制御する。記憶部３１ｄは、演算部３１ｂでの演算結果、給湯設定温度、及び、給湯設定湯量等を記憶する。
【００３９】
また、貯湯ユニットコントローラ３１は、ヒートポンプユニットコントローラ３２と双方向に通信可能になっている。さらに、貯湯ユニットコントローラ３１は、リモコン２１０と双方向に通信可能になっている。
【００４０】
図３は、給湯装置１００のヒートポンプユニットコントローラ３２の機能構成を示す機能ブロック図である。図３に基づいて、ヒートポンプユニットコントローラ３２の機能について更に説明する。なお、ヒートポンプユニットコントローラ３２は、貯湯ユニットコントローラ３１と双方向に通信可能になっている。
【００４１】
図３に示すように、ヒートポンプユニットコントローラ３２は、機能的には、測定部３２ａと、演算部３２ｂ、制御部３２ｃ、記憶部３２ｄと、を備える。測定部３２ａは、入水温度センサー９１、出湯温度センサー９２、及び、外気温度センサー９０での情報に基づいて湯水の温度及び外気温度を測定する。演算部３２ｂは、測定部３２ａでの測定結果を用いて、制御部３２ｃへの指示内容を演算する。制御部３２ｃは、演算部３２ｂでの演算結果に基づいて、圧縮機１１、膨張弁１３、及び、送風機１４ａの動作を制御する。記憶部３２ｄは、演算部３２ｂでの演算結果、出湯温度、及び、外気温度等を記憶する。
【００４２】
＜給湯装置１００の動作＞
（貯湯運転）
図１を参照しながら、給湯装置１００の貯湯運転時の動作について説明する。具体的には、ヒートポンプユニット１０で低温の水を高温に沸き上げ、沸き上げた高温の湯水を貯湯タンク５１に貯める貯湯運転時の動作について説明する。給湯装置１００の貯湯運転時、三方弁５９は、流入口ａ１と流出口ｃ１とが連通され、貯湯タンク５１の下部からタンク側ポンプ５４の吸入側に水が流れる。また、四方弁５５は、流入口ａ２と流出口ｄ２とが連通され、ヒートポンプ出湯配管７２から貯湯タンク５１の上部へと湯が流れる。
【００４３】
冷媒は、圧縮機１１で高温高圧に圧縮され、圧縮機１１から吐出される。圧縮機１１から吐出された冷媒は、冷媒−水熱交換器１２の冷媒側流路に流入する。冷媒−水熱交換器１２に流入した冷媒は、ヒートポンプ入水配管７１を経て冷媒−水熱交換器１２に流入した水と熱交換することで冷却される。冷却された冷媒は、膨張弁１３で低温低圧に減圧され、蒸発器１４へ流れる。蒸発器１４では、送風機１４ａによって導かれた外気と冷媒とが熱交換し、冷媒が加熱される。蒸発器１４で加熱された冷媒は、蒸発し、再び圧縮機１１へ流れ、冷凍サイクルを形成する。
【００４４】
貯湯タンク５１の下部に存在する低温の水は、三方弁５９を経て、タンク側ポンプ５４に吸い込まれて加圧され、ヒートポンプ入水配管７１を経て冷媒−水熱交換器１２の水側流路に送水される。冷媒−水熱交換器１２に流入した水は、冷媒配管７０を経て冷媒−水熱交換器１２に流入した冷媒と熱交換することで加熱される。加熱された水は、沸き上げられた湯となり、ヒートポンプ出湯配管７２及び四方弁５５を経て、貯湯タンク５１の上部に貯められる。
【００４５】
貯湯運転では、例えばリモコン２１０の給湯設定温度に応じて貯湯タンク５１の貯湯温度が、例えば６５℃と決められる。貯湯タンク５１の蓄熱量が予め設定されているヒートポンプ沸き上げ閾値を下回ると、沸き上げ運転を開始する。貯湯ユニットコントローラ３１は、ヒートポンプユニットコントローラ３２に対して貯湯温度である目標沸き上げ温度を指令する。そして、貯湯タンク５１の蓄熱量が目標貯湯量になると、ヒートポンプユニット１０は沸き上げ運転を停止する。
【００４６】
目標貯湯量は、例えば現在からある決まった時間までに予測される給湯負荷と、現在の貯湯タンク５１の蓄熱量の差から算出するとよい。また、給湯負荷は、過去数日間の給湯負荷を学習して定めるようにするとよい。なお、目標貯湯量及び給湯負荷を予め設定しておいてもよい。また、目標貯湯量及び給湯負荷を変更可能にしておくとよい。
【００４７】
圧縮機１１は、インバータタイプで構成され、ヒートポンプユニットコントローラ３２によって所定の加熱能力となるように回転数が調整される。膨張弁１３は、冷媒の圧縮機吸入過熱度、もしくは圧縮機吐出温度が所定の温度となるようにヒートポンプユニットコントローラ３２によって開度が調整される。タンク側ポンプ５４は、出湯温度センサー９２が検知する冷媒−水熱交換器１２の出湯温度が目標貯湯温度となるようにヒートポンプユニットコントローラ３２により回転数が調整される。
【００４８】
給湯装置１００では、貯湯運転の際、水の体積膨張により圧力上昇のため、圧力逃がし弁６０から貯湯ユニット５０の外部に湯が排出される。また、給湯装置１００では、沸き上げた湯にガスが多く含まれると、空気抜き弁６１から貯湯ユニット５０の外部にガスが排出される。
【００４９】
（可燃性冷媒を検知した場合の動作）
次に、冷媒センサー９３によって可燃性冷媒を検知した場合の給湯装置１００の動作について説明する。可燃性冷媒は、冷媒センサー９３が検知する。具体的には、圧力逃がし弁６０もしくは空気抜き弁６１から可燃性冷媒が排出された場合、冷媒センサー９３によって可燃性冷媒が検知されることになる。冷媒センサー９３が可燃性冷媒を検知すると、ヒートポンプユニットコントローラ３２がヒートポンプユニット１０が運転中の場合は運転を停止する。また、ヒートポンプユニットコントローラ３２は、貯湯ユニットコントローラ３１を介してリモコン２１０へ可燃性冷媒が漏洩していることを報知し、貯湯ユニットコントローラ３１は、排気ファン６２を運転する。
【００５０】
（ヒートポンプユニット１０の停止中の最低外気温度検知の際の動作）
次に、ヒートポンプユニット１０が停止中の最低外気温度検知の際の動作について図４を参照しながら説明する。図４は、給湯装置１００のヒートポンプユニット１０停止中の最低外気温度検知の際の処理の流れを示すフローチャートである。なお、ヒートポンプユニット１０が停止中とは、圧縮機１１の運転が停止され、冷媒が循環していない状態を意味している。そして、図４に示す処理の流れは、圧縮機１１が停止している間、継続するものとする。
【００５１】
ヒートポンプユニット１０が停止しているとき、冷媒−水熱交換器１２の凍結の可能性を判断するため、最低外気温度を検知する。具体的には、ヒートポンプユニットコントローラ３２は、一定時間ごとに外気温度センサー９０で外気温度を検知する（Ｓ１０１）。ヒートポンプユニットコントローラ３２は、前回検知した外気温度と、今回検知した外気温度とを比較する（ステップＳ１０２）。前回検知した外気温度とは、今回検知の１回前に検知した外気温度のことを意味している。
【００５２】
前回検知した外気温度と今回検知の外気温度とを比較した結果、今回検知の外気温度が前回検知の外気温度よりも低いとき（Ｓ１０２；Ｙｅｓ）、今回検知した外気温度を最低外気温度として更新する（Ｓ１０３）。一方、前回検知した外気温度と今回検知の外気温度とを比較した結果、今回検知の外気温度が前回検知の外気温度以上のとき（Ｓ１０２；Ｎｏ）、一定時間ごとの外気温度検知が繰り返される。なお、最低外気温度が基準値以下の場合、ヒートポンプユニットコントローラ３２は、冷媒−水熱交換器１２を流れる水の温度が凍結温度以下となったと判断する。
【００５３】
（最低外気温度に応じた給湯運転）
次に、最低外気温度に応じた給湯運転について図５を参照しながら説明する。図５は、最低外気温度に応じた給湯運転の際の処理の流れを示すフローチャートである。最低外気温度に応じた給湯運転では、貯湯ユニットコントローラ３１は、最低外気温度に応じて、貯湯タンク５１から給湯するときの中温水混合弁５６を制御する。この図５に示す処置の流れは、貯湯運転終了後から給湯開始前の間に実施するものとする。
【００５４】
貯湯ユニットコントローラ３１は、貯湯運転開始前のヒートポンプユニット１０の停止中の前回の最低外気温度が予め設定した基準値以上であるかどうかを判断する（ステップＳ２０１）。貯湯ユニットコントローラ３１が、貯湯運転開始前のヒートポンプユニット１０の停止中の前回の最低外気温度が予め設定した基準値以上であると判断したとき（ステップＳ２０１；Ｙｅｓ）、通常給湯運転へ移行する（ステップＳ２０３）。そして、それ以降は、次の貯湯運転が終了するまで処理の流れは実施しない。
【００５５】
一方、貯湯ユニットコントローラ３１が、前回の最低外気温度が予め設定した基準値よりも低いと判断したとき（ステップＳ２０１；Ｎｏ）、予め設定した基準時間が経過しているかどうかを判断する（ステップＳ２０２）。予め設定した基準時間が経過している場合（ステップＳ２０２；Ｙｅｓ）、通常給湯運転へ移行する（ステップＳ２０３）。一方、予め設定した基準時間が経過していない場合（ステップＳ２０２；Ｎｏ）、中温水を優先的に給湯に利用する中温水優先給湯運転へ移行する（ステップＳ２０４）。そして、一定時間後に再度、ステップＳ２０２を判断する。なお、最低外気温度の基準値は、氷点下で例えば−５℃程度とする。
【００５６】
（通常給湯運転）
次に、給湯に高温湯と中温水を混合させて利用する通常給湯運転について図６を参照しながら説明する。図６は、給湯に高温湯と中温水を混合させて利用する通常給湯運転の際の処理の流れを示すフローチャートである。ここでは、図６に基づいて、給湯端６３に接続されたカラン又はシャワーから給湯する一般給湯運転について説明する。
【００５７】
貯湯ユニットコントローラ３１は、貯湯タンク５１に中温水配管７４が接続されている位置の湯の温度を貯湯温度センサー５２で検知する。そして、貯湯ユニットコントローラ３１は、この中温水取り出し位置の温度が予め定めた基準値以上であるかどうかを判断する（ステップＳ３０１）。中温水取り出し位置の温度が予め定めた基準値以上であると判断した場合（ステップＳ３０１；ｙｅｓ）、貯湯ユニットコントローラ３１は、中温水を給湯に利用できるため、高温湯と中温水を混合するように中温水混合弁５６を制御する（ステップＳ３０２）。このとき、高温湯と中温水の混合後の温度は、一般給湯設定温度もしくは風呂給湯設定温度の高い方の温度より所定温度高くするとよい。
【００５８】
一方、中温水取り出し位置の温度が予め定めた基準値よりも低いと判断した場合（ステップＳ３０１；Ｎｏ）、貯湯ユニットコントローラ３１は、中温水混合弁５６を高温湯側に全開に制御する（ステップＳ３０３）。次に、貯湯ユニットコントローラ３１は、給湯流量が予め定めた基準値以上であるかどうかを判断する（ステップＳ３０４）。給湯流量は、例えば給湯端６３の図示省略の流量センサーが検知した給湯流量に基づいて貯湯ユニットコントローラ３１が計測すればよい。
【００５９】
給湯流量が予め定めた基準値以上である場合（ステップＳ３０４；ｙｅｓ）、一般給湯混合弁５８で所定の給湯温度となるように中温水混合弁５６からの湯と給水端６４からの低温水との混合比を調整して給湯する（ステップＳ３０５）。このときの給湯温度は、ユーザーがリモコン２１０で設定するものとする。そして、貯湯ユニットコントローラ３１は、給湯流量が基準値未満であるかどうかを判断する（ステップＳ３０６）。給湯流量が基準値未満である場合（ステップＳ３０６；ｙｅｓ）、貯湯ユニットコントローラ３１は、通常給湯運転を終了する。一方、給湯流量が基準値以上である場合（ステップＳ３０６；Ｎｏ）、貯湯ユニットコントローラ３１は、一般給湯混合弁５８を制御する（ステップＳ３０５）。
【００６０】
（通常湯張り運転）
次に、給湯に高温湯と中温水とを混合させて利用する通常湯張り運転について図７を参照しながら説明する。図７は、給湯に高温湯と中温水を混合させて利用する通常給湯運転の際の処理の流れを示すフローチャートである。なお、中温水混合弁５６の制御であるステップＳ４０１〜ステップＳ４０３は、図６と図７とで分けて記述しているが、通常給湯運転のステップＳ３０１〜ステップＳ３０３と共通して実施している。そのため、ここでは、ステップＳ４０４からの処理の流れについて説明する。
【００６１】
貯湯ユニットコントローラ３１は、湯張り指令があったかどうかを判断する（ステップＳ４０４）。例えばユーザーがリモコン２１０の湯張りボタンを押すと、リモコン２１０は、貯湯ユニットコントローラ３１に湯張りを指令する。このとき、貯湯ユニットコントローラ３１は、湯張り指令があったものと判断する。湯張り指令があったと判断すると（ステップＳ４０４；Ｙｅｓ）、貯湯ユニットコントローラ３１は、湯張り開閉弁８１を開制御し（ステップＳ４０５）、湯張りを開始する。
【００６２】
湯張り開閉弁８１を開制御して湯張りを開始すると、風呂給湯混合弁５７からの湯が浴槽往き配管７８及び浴槽戻り配管７９を流れ、浴槽２００に給湯される。このとき、浴槽循環ポンプ８０は運転しない。そして、貯湯ユニットコントローラ３１は、風呂給湯混合弁５７で所定の給湯温度となるように中温水混合弁５６からの湯と給水端６４からの低温水の混合比を調整して給湯する（ステップＳ４０６）。このときの給湯温度、つまり湯張り温度は、ユーザーがリモコン２１０で設定する。
【００６３】
次に、貯湯ユニットコントローラ３１は、浴槽湯量が予め定めた基準値以上であるかどうかを判断する（ステップＳ４０７）。浴槽湯量は、例えば浴槽往き配管７８に設置した図示省略の流量センサーもしくは浴槽２００に設置した図示省略の水位センサーで検知するとよい。浴槽湯量が予め定めた基準値以上である場合（ステップＳ４０７；ｙｅｓ）、貯湯ユニットコントローラ３１は、湯張り開閉弁８１を閉止する（ステップＳ４０８）。
【００６４】
（中温水優先給湯運転）
次に、給湯に中温水のみを利用する中温水優先給湯運転について図８を参照しながら説明する。図８は、給湯に中温水のみを利用する中温水優先給湯運転の際の処理の流れを示すフローチャートである。
【００６５】
貯湯ユニットコントローラ３１は、中温水混合弁５６を制御して中温水側を全開にする（ステップＳ５０１）。このようにすることで、給湯運転で貯湯タンク５１の上部の湯を利用することなく、貯湯タンク５１の中間部からの湯のみを利用することが可能になる。なお、ステップＳ５０２以降は、図６のステップＳ３０４以降と同様である。また、湯張り運転も同様に、貯湯タンク５１の中間部からの湯のみを利用することができる。中温水優先給湯運転中に、中温水取り出し位置温度が低下し、給湯設定温度を維持できないと判断すると、貯湯タンク５１の上部に残湯があっても貯湯ユニットコントローラ３１はヒートポンプユニットコントローラ３２に貯湯運転を指示する。
【００６６】
（中温水優先給湯運転から通常給湯運転への移行）
次に、中温水優先給湯運転から通常給湯運転への移行について図９を参照しながら説明する。図９は、中温水優先給湯運転から通常給湯運転への移行の際の処理の流れを示すフローチャートである。
【００６７】
貯湯ユニットコントローラ３１は、貯湯タンク５１の上部に可燃性冷媒が溜まっている場合、高温湯と一緒に可燃性冷媒が貯湯タンク５１の外部へ流出する可能性があるため、中温水混合弁５６の高温側を徐々に開く。具体的には、図５のステップＳ２０２で所定時間経過して移行するときに、貯湯ユニットコントローラ３１はまず中温水混合弁５６の高温側を微開に制御して、高温水の割合を増加する（ステップＳ６０１）。次に、貯湯ユニットコントローラ３１は、一般給湯及び風呂給湯として供給した給湯の積算給湯流量が予め定めた基準値以上であるかどうかを判断する（ステップＳ６０２）。
【００６８】
ここで一般給湯と風呂給湯との積算給湯流量が基準値以上となるまで中温水混合弁５６の微開制御を続ける（ステップＳ６０２；Ｎｏ）。そして、一般給湯と風呂給湯との積算給湯流量が基準値以上となると（ステップＳ６０２；Ｙｅｓ）、貯湯ユニットコントローラ３１は、中温水混合弁５６の高温側を所定開度開くように制御する（ステップＳ６０３）。これを、中温水混合弁５６の高温側初期開度以上となるまで継続して（ステップＳ６０４）、通常給湯運転へ移行する（ステップＳ６０５）。通常給湯運転は、中温水混合弁５６の高温側が所定開度開いた初期開度で開始する。
【００６９】
（給湯装置１００が奏する効果）
冷媒−水熱交換器１２の冷媒と水とが熱交換する隔壁にピンホールなどが開いて、水回路に可燃性冷媒がスローリークする場合、冷媒量が微量であり貯湯運転中に圧力逃がし弁６０又は空気抜き弁６１から冷媒を放出できない可能性がある。この場合、給湯時に高温湯と一緒に可燃性冷媒が給湯端６３へ流出してしまうことも考えられる。それに対して、給湯装置１００では、外気温度が低く、冷媒−水熱交換器１２の水側の凍結の可能性がある場合、一定時間、貯湯タンク５１の上部からの給湯を制限して、その後、高温湯を徐々に利用するようにしている。こうすることで、給湯装置１００によれば、貯湯タンク５１の上部に溜まった可燃性冷媒を確実に検出できることになる。
【００７０】
また、貯湯タンク５１の上部に残湯があっても、中温水優先給湯運転中は中温水取り出し位置温度が低下すると再度貯湯運転を実施するようにしている。このため、給湯装置１００によれば、可燃性冷媒の流出を確実に防止することができる。
【００７１】
さらに、図９のフローチャートで示したように、可燃性冷媒の漏洩が無く、安全と判断できれば、給湯設定温度に適した湯を、高温湯と中温水とを混合して給湯に利用するようにしている。そのため、給湯装置１００によれば、エネルギー消費を低減することが可能になる。
【００７２】
＜給湯装置１００の変形例＞
（空気抜き弁６１を貯湯タンク５１の頂部に直接接続する構成）
図１０は、給湯装置１００の変形例１の構成の一部を示す概略構成図である。図１０に基づいて、給湯装置１００の変形例１について説明する。なお、図１０は、貯湯ユニット５０部分のみを抜き出して図示している。
【００７３】
図１では、空気抜き弁６１が第２分岐配管２４ｂに設置した場合を例に示したが、図１０に示すように、貯湯タンク５１の頂部に空気抜き弁６１を直接接続するようにしてもよい。こうすることで、微量の可燃性冷媒を確実に検知でき、確実に排出することも可能になる。
【００７４】
（逆サイクル除霜を行うヒートポンプユニット１０の冷媒−水熱交換器１２の凍結検知）
図１１は、給湯装置１００の変形例２の構成の一部を示す概略構成図である。図１１に基づいて、給湯装置１００の変形例２について説明する。なお、図１１は、ヒートポンプユニット１０部分のみを抜き出して図示している。
【００７５】
図１では、冷媒が一方向にのみ循環するヒートポンプユニット１０のヒートポンプ装置を例に示したが、図１１に示すように、圧縮機１１の吐出側に流路切替装置１５を設け、冷媒の流れを反転可能にしてもよい。流路切替装置１５は、ポートａ３が圧縮機１１の吐出側に接続し、ポートｂ３が圧縮機１１の吸入側に接続し、ポートｃ３が冷媒−水熱交換器１２に接続し、ポートｄ３が蒸発器１４に接続する。こうすることで、ヒートポンプユニット１０では、逆サイクル除霜運転を実行することが可能になる。流路切替装置１５は、例えば四方弁、又は、三方弁あるいは二方弁の組合せで構成することができる。
【００７６】
逆サイクル除霜を行う場合、除霜時に冷媒−水熱交換器１２が蒸発器として機能することになる。そのため、冷媒−水熱交換器１２において冷媒の温度が低下すると、水側において凍結してしまうことが考えられる。冷媒−水熱交換器１２で水が凍結してしまうと、冷媒−水熱交換器１２の冷媒と水とが熱交換する隔壁が破れてしまう可能性がある。
【００７７】
図１１に示すように、貯湯運転時は、流路切替装置１５のポートａ３とポートｃ３とが接続して、圧縮機１１の吐出ガスが冷媒−水熱交換器１２に流入して、ポートｂ３とポートｄ３とが接続して蒸発器１４の出口のガスが圧縮機１１に吸入される。また、流路切替装置１５のポートｃ３と冷媒−水熱交換器１２との間には、冷媒の温度を検知する冷媒温度センサー９６を設ける。冷媒温度センサー９６での検知温度は、貯湯運転時、圧縮機１１の冷媒吐出温度が所定の温度となるように膨張弁１３を制御するために使用する。
【００７８】
図１２は、変形例２に係る給湯装置１００のヒートポンプユニットコントローラ３２の機能構成を示す機能ブロック図である。図１２に基づいて、ヒートポンプユニットコントローラ３２の機能について、図３との相違点を中心に説明する。
図１２に示すように、測定部３２ａは、入水温度センサー９１、出湯温度センサー９２、及び、外気温度センサー９０での情報の他に、冷媒温度センサー９６での情報に基づいて湯水の温度、外気温度、及び、冷媒温度を測定する。また、制御部３２ｃは、演算部３２ｂでの演算結果に基づいて、圧縮機１１、膨張弁１３、及び、送風機１４ａの動作だけでなく、流路切替装置１５を制御する。それ以外の構成については、図３と同様である。
【００７９】
図１３は、給湯装置１００の除霜運転時の回路構成の一例を示す概略構成図である。図１４は、除霜運転時における蒸発温度で冷媒−水熱交換器１２の凍結の可能性を判定する際の処理の流れを示すフローチャートである。図１３及び図１４に基づいて、変形例２に係る給湯装置１００の除霜運転について説明する。なお、図１３は、ヒートポンプユニット１０部分のみを抜き出して図示している。
【００８０】
除霜運転では、流路切替装置１５のポートａ３とポートｄ３とが接続して圧縮機１１の吐出ガスが蒸発器１４に流入して、ポートｂ３とポートｃ３とが接続して冷媒−水熱交換器１２の出口のガスが圧縮機１１に吸入される。このとき、冷媒温度センサー９６は、除霜運転時の蒸発温度を検知する。
【００８１】
図１４の処理の流れは、除霜運転終了後に実施する。ヒートポンプユニットコントローラ３２は、今回の除霜運転時における蒸発温度が、前回の除霜運転時における蒸発温度以上であるかどうかを判断する（ステップＳ７０１）。今回の除霜運転時における蒸発温度が、前回の除霜運転時における基準値以上である場合（ステップＳ７０１；ｙｅｓ）、ヒートポンプユニットコントローラ３２は通常給湯運転へ移行する（ステップＳ７０３）。一方、今回の除霜運転時における蒸発温度が、前回の除霜運転時における蒸発温度未満である場合（ステップＳ７０１；Ｎｏ）、ヒートポンプユニットコントローラ３２は、予め定めた所定時間を経過したかどうかを判断する（ステップＳ７０２）。
【００８２】
予め定めた所定時間を経過した場合（ステップＳ７０２；Ｙｅｓ）、ヒートポンプユニットコントローラ３２は通常給湯運転へ移行する（ステップＳ７０３）。一方、予め定めた所定時間を経過していない場合（ステップＳ７０２；Ｎｏ）、ヒートポンプユニットコントローラ３２は、中温水優先給湯運転へ移行する（ステップＳ７０４）。
【００８３】
図１４に示すフローチャートによれば、除霜運転で可燃性冷媒が水側に漏洩した可能性がある場合でも、可燃性冷媒の給湯への流出を防止できる。
【００８４】
（中温水混合弁５６を中温水と低温水に接続する場合）
図１５は、給湯装置１００の変形例３の構成の一部を示す概略構成図である。図１６は、変形例３に係る給湯装置１００の中温水優先給湯運転の際の処理の流れを示すフローチャートである。図１５及び図１６に基づいて、給湯装置１００の変形例３について説明する。なお、図１５は、貯湯ユニット５０部分のみを抜き出して図示している。
【００８５】
図１では、中温水混合弁５６を中温水配管７４、高温湯配管７５、第２配管２６に接続した場合を例に示したが、図１５では、中温水混合弁５６を給水配管２７、中温水配管７４、第４配管３０に接続している。中温水混合弁５６は、中温水配管７４から流出する中温の湯と、給水配管２７を流れる外部から供給される低温水とを混合して、第４配管３０及び第３配管２９を介して給湯に利用するものである。第４配管３０は、分岐して、風呂給湯混合弁５７と、一般給湯混合弁５８とに接続される。
【００８６】
中温水優先給湯運転では、貯湯ユニットコントローラ３１は、一般給湯混合弁５８の高温側を予め全閉に制御する（ステップＳ８０１）。また、貯湯ユニットコントローラ３１は、給湯設定温度に対する温調制御は中温水混合弁で実施する（ステップＳ８０３）。なお、中温水優先給湯運転時に、一般給湯運転と風呂給湯運転が独立して発生する場合は、それぞれの設定温度で中温水混合弁温調制御を実施する。一般給湯運転と風呂給湯運転が同時に発生する場合、つまり給湯利用箇所が２つ以上ある場合は、低い方の設定温度で制御する。こうすることで、やけどに対する安全性を確保する。また、中温水優先給湯を実施中で、給湯温度に制約が発生する場合、リモコン２１０を介して外部に報知するようにしてもよい。
【符号の説明】
【００８７】
１０  ヒートポンプユニット、１１  圧縮機、１２  冷媒−水熱交換器、１３  膨張弁、１４  蒸発器、１４ａ  送風機、１５  流路切替装置、２１  給水管、２２  タンク水供給管、２３  高温湯供給配管、２４  第１配管、２４ａ  第１分岐配管、２４ｂ  第２分岐配管、２５  タンク配管、２６  第２配管、２６ａ  第１分岐配管、２６ｂ  第２分岐配管、２７  給水配管、２８  給湯配管、２９  第３配管、３０  第４配管、３１  貯湯ユニットコントローラ、３１ａ  測定部、３１ｂ  演算部、３１ｃ  制御部、３１ｄ  記憶部、３２  ヒートポンプユニットコントローラ、３２ａ  測定部、３２ｂ  演算部、３２ｃ  制御部、３２ｄ  記憶部、４２  貯湯温度センサー、５０  貯湯ユニット、５０ａ  排気口、５１  貯湯タンク、５２  貯湯温度センサー、５２ａ  貯湯温度センサー、５２ｂ  貯湯温度センサー、５２ｃ  貯湯温度センサー、５２ｄ  貯湯温度センサー、５３  風呂熱交換器、５４  タンク側ポンプ、５５  四方弁、５６  中温水混合弁、５７  風呂給湯混合弁、５８  一般給湯混合弁、５９  三方弁、６０  圧力逃がし弁、６１  空気抜き弁、６２  排気ファン、６３  給湯端、６４  給水端、７０  冷媒配管、７１  ヒートポンプ入水配管、７２  ヒートポンプ出湯配管、７３  送湯配管、７４  中温水配管、７５  高温湯配管、７６  温水導出配管、７７  温水導入配管、７８  浴槽往き配管、７９  浴槽戻り配管、８０  浴槽循環ポンプ、８１  湯張り開閉弁、９０  外気温度センサー、９１  入水温度センサー、９２  出湯温度センサー、９３  冷媒センサー、９４  浴槽温度センサー、９５  浴槽往き温度センサー、９６  冷媒温度センサー、１００  給湯装置、１２０  貯湯タンク、２００  浴槽、２１０  リモコン、ａ１  流入口、ａ２  流入口、ａ３  ポート、ｂ１  流入口、ｂ２  流入口、ｂ３  ポート、ｃ１  流出口、ｃ２  流出口、ｃ３  ポート、ｄ２  流出口、ｄ３  ポート。
【図１】
2019138601.tif 000003
【図２】
2019138601.tif 000004
【図３】
2019138601.tif 000005
【図４】
2019138601.tif 000006
【図５】
2019138601.tif 000007
【図６】
2019138601.tif 000008
【図７】
2019138601.tif 000009
【図８】
2019138601.tif 000010
【図９】
2019138601.tif 000011
【図１０】
2019138601.tif 000012
【図１１】
2019138601.tif 000013
【図１２】
2019138601.tif 000014
【図１３】
2019138601.tif 000015
【図１４】
2019138601.tif 000016
【図１５】
2019138601.tif 000017
【図１６】
2019138601.tif 000018